(57)【特許請求の範囲】
【請求項１】
少なくとも受信機（２、９）と、検出器と、一つ以上の所定の状態になすことが可能な要素（５）とを含む検出装置であって、前記要素を前記受信機の近傍に持ってくると、該受信機が該要素の状態に反応し、該要素の状態に関連した検出信号を発するように前記検出器を制御するようになっており、前記検出装置は、更に、前記要素を着装した着装者を記録するように前記受信機（２、９）の周りに焦点が合わせられたビデオカメラ（４、１０）と、該ビデオカメラによって捕捉された像を記録するようになされた記憶装置（１２）とを含む、前記検出装置において、
前記記憶装置（１２）が、一時的記憶区域と、検出信号によって制御され、転送チャンネルによって相互に接続された永久的記憶区域とを含むことを特徴とする検出装置。
【請求項２】
前記要素（５）が作動可能なタッグであり、前記検出した信号が作動したタッグよってのみ発せられることを特徴とする請求項１に記載の検出装置。
【請求項３】
前記一時的記憶区域がＦＩＦＯ記憶からなることを特徴とする請求項１または請求項２に記載の検出装置。
【請求項４】
前記要素（５）は読み取り器によって読み取ることができるデータを備えており、前記記憶装置（１２）が前記要素（５）のデータと永久的に記憶されたビデオ像とを相互に関連させて記憶するように装備されていることを特徴とする請求項１から請求項３までのいずれか１項に記載の検出装置。
【請求項５】
前記要素（５）には該要素に関連した着装者の認識データが設けられ、前記永久的に記憶されたビデオ像から認識データを引き出し、これらを前記要素から読み取った認識データと比較する像認識ソフトウエアが設けられた処理装置（１６）が設けられていることを特徴とする請求項４に記載の検出装置。
【発明の詳細な説明】
【０００１】
本発明は少なくとも受信機と、検出器と、一つ以上の所定の状態になすことが可能である要素（element）とからなり、前記受信機が、前記要素を該受信機の近傍に持ってくると該要素の状態に反応し、該要素の状態に関連した検出信号を発するよう前記検出器を制御するような検出装置に関する。
【０００２】
このタイプの検出装置は所定の状態にあるか、あるいは所定の状態に持ってくることが可能であり、要素として広く使用されている現行の識別装置、電子バッジあるいはカードに使用されている。この所定の状態において、識別番号がバッジあるいはカードに組み込まれており、前記バッジあるいはカードを受信機の近傍に持ってくると、識別番号が読み取られ、検出器が該識別番号が有効な識別番号であるか否かを検出する。もしもこの番号が有効であるとすれば、検出器は検出信号を発し、それによってカードを提出している、あるいは着装している人に近接（access）を許可する。
【０００３】
検出装置はまた盗難防止装置においても使用可能であり、この場合構造に応じて、検出装置は通路のいずれかの側に位置づけられ、壁あるいは床取り付けの数本のアンテナの代わりに単一のアンテナから構成し得る。この場合もまた、要素は保護すべき物品に固定し得るタッグあるいはカードでよい。該物品に対して支払いがなされるとすれば、タッグはある状態になされ、受信機（受信機のアンテナ）がこの状態に到達する。検出器はタッグの状態（支払いがなされたか否か）に応じて警報を発するか否かを受信機によって制御される。
【０００４】
本発明の目的は更に良好な安全性が可能とされる、本明細書の序文のところで述べたタイプの検出装置を提供することである。
【０００５】
前記の目的は、受信機の周りに焦点を合わされたビデオカメラが前記要素を着装している人を記録するために存在し、ビデオカメラによって記録された像を記憶するように記憶装置（memory device）が適合されていることによって本発明により達成される。
【０００６】
本発明は要素を着装している、あるいは要素を提出する人の身元を記憶することによって安全のための更なるチェックが可能であるという推測に基いている。可成りの程度の安全性が有用であり、あるいは着装者と要素の間のこのような結合性が所望されるような状況においては、要素の着装者あるいは要素を提出する人の身元に関して要素あるいは該要素にある情報を同時に記憶することを本発明によって行なうことができる。
【０００７】
国際特許第ＷＯ９８／１１５２０Ａ１から、安全タッグと共に使用するのに適した質問機４２を含む安全装置が知られている。質問機は安全タッグに保持された情報を処理し、制御するためにデータ処理および制御回路（５４）の入力側に接続された受信機５０を含む。この周知の装置は所定帯域（zone）の像を捕捉するためのビデオカメラ（５８）と、例えばビデオテープのような記憶にビデオ信号を記憶するためにビデオレコーダとを更に含む。ビデオレコーダは連続した記録、あるいは検出帯域での行動の事象を指向した記録のいずれかである。
問題は、認識可能な像情報は特定の視点から捕捉される人を示す像からのみ取得可能であり、タッグあるいはカードを識別している間に記憶される像材料は使用可能でないことが多いことである。タッグが検出される時点で記憶された像より以前に記録された像を利用可能にする必要がある。
本発明の目的は更に、前記問題が排除される検出装置を提供することである。前記の目的は、記憶装置が所定の時間捕捉したビデオ像を一時的に連続的に記憶し、検出器からの検出信号に応答して一時的に記憶されたビデオ像を永久的に記憶するように装備されることによって本発明によって達成される。
例えば、受信機を通過する全ての商品、車両、動物あるいは人の連続したビデオ像を記憶手段に記憶させることが可能である。もしも要素、バッジあるいあカードの所定の状態が検出装置によって認識されないとすれば、商品、車両、動物および人の可視識別は極限定された時間記憶される。しかしながら、もしもそのような状態が認識されたとすれば、次いでこの状態あるいは情報が記憶された関連のビデオ情報と共に記録される。ビデオ像を一時的に記憶し、ビデオ像を条件付きで永久的に記憶する結果小さい記憶容量でも十分とし得る。
【０００８】
記憶装置は一時的記憶区域と、それらの間で検出器によって制御される転送チャンネルを備えた永久的記憶区域とからなることが好ましい。一時的記憶区域はＦＩＦＯ記憶から構成し得る。
【０００９】
本発明の更なる展開および実施例を別の従属項に記載した。
【００１０】
添付図面を参照して以下に本発明を詳細に説明する。
【００１１】
図１は保安領域へのアクセスを提供し得るドア１を示す。ドア１は開放可能であり、該保安領域へ許可された人が入りたいときのみ開放する。許可された人はドアを開放したり、あるいはその開放を解除するために識別カードあるいはバッジの形態の要素が与えられる。この識別カードは符号化してもよいし、しなくてもよい識別番号が該識別カードに組み込まれている状態になされている。
【００１２】
ドア１に沿って壁３に固定されている受信機２が識別バッジあるいはカードと関連して作動する。ビデオセル４が受信機２に近接して位置づけられる。
【００１３】
識別バッジあるいはカードを受信機２の近傍に持ってくると、識別バッジにある識別番号あるいはその他の情報が任意に接触不要の受信機によって読み取られる。同時に、ビデオセル４が識別カード５を提出している人のビデオ像を記録し、ビデオ像が図１に示していない記憶装置に記憶される。前記の人の可視識別は極限られた時間だけ記憶され、もしも識別バッジあるいはカードがある人によって提出されたとすればそのときのみ永久的に記憶される。また、許可された人の識別番号が検出されたとすればそのときのみその人の可視識別を永久的に記憶することができる。そうすれば、関連の記憶されたビデオ情報と共に識別番号あるいはその他の情報を記録することが可能である。そうすれば、たとえ後であっても、その人の識別番号と像とが相互に関連しているか、そして実際に許可された人のみが保安領域に近接したか否かをチェックすることができる。
【００１４】
前記の検出装置を使用することにより、着装者として作用しており、かつ該検出装置を通過する全ての物品、車両、動物あるいはその他の物体のビデオ像をビデオ記憶装置において連続して記憶することも可能である。このような手段によって、着装者のビデオ像と関連した全ての要素の着装者に関する情報を記憶することが可能である。
【００１５】
図２において、本発明による検出装置は盗難防止安全装置に使用されている。検出装置は送信機６を含み、該送信機はそこに接続された送信アンテナによって交番磁界（alternating magnetic field）を発生させる。交番磁界は受信アンテナ８によって受取られ、受信機９まで伝送される。
【００１６】
盗難防止安全装置においては、図に示していない、盗難防止安全タッグの形態の要素が採用されている。盗難防止安全タッグは絶縁プラスチック材で作られたキャリヤあるいは基板からなり、その上に信号要素あるいは適合した回路が配置されている。盗難防止安全タッグは盗難に対して保護する必要のある物品に装着される。
【００１７】
もしもチェックアウト時に代金が支払われたとすれば、盗難防止安全タッグが所定の第１の状態になされる。送信アンテナ７と受信アンテナ８の間で物品が外部へ取出されたときは何ら警報は出されない。しかしながら、もしも物品の支払いがなされていないとすれば、盗難防止安全タッグは第２の所定の状態（未払い状態）に保持される。この場合、支払いがなされていない物品が送信アンテナ７と受信アンテナ９の間で外部へ取出されるとすれば、受信機９はこの第２の状態に反応し、個別には示していない受信機における検出器が警報を制御するように検出信号を発する。
【００１８】
送信アンテナ７と受信アンテナとの間の通路に焦点が合わされたビデオカメラ１０が受信機に近接して設置されている。ビデオカメラ用支持体はいずれかの周知の仕方で提供可能であるので、示していない。ビデオカメラはまた、受信アンテナに固定することも可能である。ビデオカメラ１０は物品、従ってそれに固定されたタッグあるいは要素を取り上げた人のビデオ像を記録する。ビデオ像はケーブル１１を介して記憶装置１２まで送られ、そこで記憶される。
【００１９】
図示実施例において、ビデオ像はまた、これらのビデオ像を表示するためにケーブル１３を介してＰＣ１６まで送られる。これらの可視ビデオ像は盗難に対して保安的な作用を有している。
【００２０】
記憶装置１２は一時的記憶区域と、それらの間に転送チャンネルを備えた永久的記憶区域とから構成されている。そのような構成は当該技術分野の専門家によって実行可能なので、詳細には示していない。検出装置を通過した全ての商品および（または）人のビデオ像は一時的記憶区域に連続して記憶され、商品および（または）人のこのような可視識別が極限られた時間のみ、すなわち比較的短い期間記憶される。盗難防止安全タッグが検出されると、一時的記憶区域と永久的記憶区域とが作動して可視識別を一時的記憶区域から永久的記憶区域まで転送し、永久的記憶区域において記憶させる。転送チャンネルの作動もまた、物品の代金が支払われていないことを表わす盗難防止安全タッグの状態と関連した検出信号によって実行することができる。検出信号はケーブル１４を介して制御チャンネルの制御装置まで送られる。
【００２１】
盗難防止安全タッグにはまた、特定の情報を包含するコードが設けられ、そのためこのコードの記録は関連のビデオ識別情報の記憶と共に行なうことができる。受信機によって読み取りされるデータはまた、ケーブル１５を介してＰＣまで送ることができる。
【００２２】
一時的記憶区域はまた、スライディングレジスタ（sliding resister）あるいはＦＩＦＯ記憶から構成することも可能である。
【００２３】
認識可能な像情報は特定の視点から物品を提出あるいは着装している人を示す像からのみ得ることができるので、バッジ、タッグあるいはカードを識別している間記憶される像の材料は使用できないことがよくある。バッジ、タッグあるいはカードが検出される時点で記録された像よりも以前に記録された像を利用可能にする必要がある。特定の時間像材料を連続して記憶する結果、先に記録された像材料がバッジ、タッグあるいはカードにおいて検出された情報と組み合わせ、記録することができる。一時的記憶区域と永久的記憶区域とを使用する結果、記憶装置全体の限定された容量で十分とし得る。
【００２４】
検出装置にはまた、永久的記憶区域における永久的に記憶された像に関する時間および（または）場所を記録するために受信機における検出器からの検出信号によって制御される時間および（または）場所指示計を設けることも可能である。
【００２５】
盗難防止安全機能を有することの他に、受信機と関連して作用する要素はまた、例えば物品を走査するとき、読取り器によって読み取られるデータを包含しうる。この場合、本発明による検出装置により、記憶装置は要素上のデータが物品あるいは人の永久的に記憶されたビデオ像に関連して記憶されるように装備される。
【００２６】
本発明の別の実施例において、前記要素には該要素と関連した着装者（物品あるいは人）に認識データを設けている。更に、検出装置には、永久的に記憶されたビデオ像から認識データを引き出すための像認識ソフトウエアを具備した例えばＰＣにような処理装置が設けられる。引き出された認識データを要素から読み取られた認識データと比較することによってさらに高い安全度をもたらし得る情報を提供する。
【図面の簡単な説明】
【図１】  人の近接制御のために識別装置と共に使用する本発明による検出装置の実施例を示す。
【図２】  例示として、盗難防止の安全装置において使用される、本発明による検出装置の実施例を示す。
【図１】
0004547120.tif 000002
【図２】
0004547120.tif 000003